(57)【特許請求の範囲】
【請求項１】
互いに結合されたプラスチックカップなどの１または複数の物品を保持する物品キャリアであって、第１壁と、両側の側壁と、第２壁とを筒構造を形成するように互いに接続し、上記第１壁および第２壁に折曲げ自在に接続された物品保持手段を備え、この物品保持手段は、隣接するカートン壁から形成され、物品をカートン内に保持するために内側へ向けて折り曲げられるよう互いに接続された一対のパネルを備えた物品キャリアにおいて、上記一対の互いに接続されたパネルは、保持側パネルに接続されたガセットパネルを備え、上記ガセットパネルは上記第１壁に折曲げ自在に接続され、かつ、上記第１壁と前記物品との間に配置される部分を備え、これにより上記保持側パネルが立った状態を保持することを特徴とする物品キャリア。
【請求項２】
前記ガセットパネルは、内側へ折り曲げられて前記第１壁と面接触し、前記保持側パネルは、前記第２壁に折曲げ自在に接続されていることを特徴とする請求項１に記載の物品キャリア。
【請求項３】
前記ガセットパネルは、ガセットパネルからカートンの内側へ延在することにより梱包された物品と前記第１壁との間に配置されるタブ部を備えていることを特徴とする請求項１または２に記載の物品キャリア。
【請求項４】
前記保持側パネルとこれに隣接する側壁との間に開口が形成され、前記タブ部は、キャリアを平たくつぶした状態で、前記一対の互いに接続されたパネルのヒンジ接合部を超えて上記開口の中に突出することを特徴とする請求項３に記載の物品キャリア。
【請求項５】
前記保持側パネルの内縁部は、物品に当接するように配置されることを特徴とする請求項１〜４のいずれかに記載の物品キャリア。
【請求項６】
前記保持側パネルは、互いに折曲げ自在に接続された上部および下部を備え、前記第２壁の組立てに伴って上記保持側パネルが組み立てられる間に、上記上部および下部は、それらの並びから徐々に外側へ折り曲げられることを特徴とする請求項１〜５のいずれかに記載の物品キャリア。
【請求項７】
トレイなどの物品を保持する物品キャリアを形成するためのカートンブランクであって、第１側パネルと、第１壁パネルと、第２側パネルと、第２壁パネルとを折曲げ自在に連続的に互いに接続し、上記第１壁パネルおよび第２壁パネルに折曲げ自在に接続された物品保持手段を備え、この物品保持手段は、保持側パネルを含む複数のパネルで構成され、上記保持側パネルは、組み立てられたカートン内で保持された物品の形状に合致するように上記第２壁パネルに向かって内側寄りに傾斜しているカートンブランクにおいて、上記複数のパネルは、上記保持側パネルに接続されたガセットパネルを備え、上記ガセットパネルは、上記第２壁パネルと上記物品との間に配置される部分を備え、これにより上記保持側パネルが立った状態を保持することを特徴とするカートンブランク。
【請求項８】
前記保持側パネルと隣接する前記側壁との間に開口を形成し、前記ガセットパネルは、前記ガセットパネルと上記保持側パネルどうしの間のヒンジ接合部を超えて上記開口の中に突出するタブ部を備えていることを特徴とする請求項７に記載のカートンブランク。
【発明の詳細な説明】
【０００１】
発明の背景
本発明は、主として物品の保持構造を有するカートンに関し、特に、ヨーグルトやこれと同等の食料品を収容して互いに連結されたプラスチック製のカップのような物品に適した腰巻型の物品キャリアに関する。
【０００２】
従来よりカートンの端部を閉塞する端閉塞パネルを備えた腰巻型カートンが開示されており、このカートンでは、端閉塞パネルは、側パネルおよび基パネルのそれぞれに、端閉塞パネルを形成する際に協働する一連のガセットパネルによって接続されている。ガセットパネルには、例えば米国特許第５１８０５４号やフランス出願公開１４４５３６号などに示されるように種々の態様がある。従来において開示された技術は、例えば缶やボトルのように直線状の側部を持った物品の運搬のためのキャリアであり、したがって、その端部保持構造は、カートンの角部における端部および側部のそれぞれに対して直線的な関連を持つように形成されている。
【０００３】
たとえば、ヨーグルトの容器や食肉トレイなどのように、テーパ状の側部を有する物品やフランジを有する物品を複数梱包する場合には、物品どうし又はカートンに対して物品が相対的に移動し好ましくない。従来のカートンは、そのような物品を保持するのに十分なものではなかった。
従来の技術では、場合によってはキャリア内で保持構造がつぶれ易くなるという問題もあった。
【０００４】
発明の概要
本発明及びその好適な実施態様は、少なくとも従来技術の問題を解決することにある。
【０００５】
本発明の第１の特徴によれば、互いに結合されたプラスチックカップなどの１または複数の物品を保持する物品キャリアであって、第１壁と、両側の側壁と、第２壁とを筒構造を形成するように互いに接続し、上記第１壁および第２壁に折曲げ自在に接続された物品保持手段を備え、この物品保持手段は、隣接するカートン壁から形成され、物品をカートン内に保持するために内側へ向けて折り曲げられるよう互いに接続された一対のパネルを備えた物品キャリアにおいて、上記一対の互いに接続されたパネルは、保持側パネルに接続されたガセットパネルを備え、上記ガセットパネルは上記第１壁に折曲げ自在に接続され、かつ、上記第１壁と前記物品との間に配置される部分を備え、これにより上記保持側パネルが立った状態を保持する物品キャリアが提供される。
【０００６】
上記物品キャリアは、糊付けを必要としない保持構造が要求される状況において、テーパ状または直線状の側部を有する物品に適用可能であるという利点がある。
【０００７】
ガセットパネルは、内側へ折り曲げられて第１壁と面接触し、保持側パネルは、第２壁に折曲げ自在に接続されていることが望ましい。
【０００８】
ガセットパネルは、ガセットパネルからカートンの内側へ延在することにより梱包された物品と第１壁との間に配置されるタブ部を備えていることが望ましい。
【０００９】
本発明の他の任意的な態様によれば、保持側パネルとこれに隣接する側壁との間に開口が形成され、タブ部は、キャリアを平たくつぶした状態で、一対の互いに接続されたパネルのヒンジ接合部を超えて開口の中に突出することが望ましい。
【００１０】
本発明の他の任意的な態様によれば、保持側パネルの内縁部は、物品に当接するように配置されることが望ましい。
【００１１】
本発明の他の任意的な態様によれば、保持側パネルは、互いに折曲げ自在に接続された上部および下部を備え、第２壁の組立てに伴って上記保持側パネルが組み立てられる間に、上部および下部は、それらの並びから徐々に外側へ折り曲げられることが望ましい。
【００１２】
本発明の第２の特徴によれば、トレイなどの物品を保持する物品キャリアを形成するためのカートンブランクであって、第１側パネルと、第１壁パネルと、第２側パネルと、第２壁パネルとを折曲げ自在に連続的に互いに接続し、第１壁パネルおよび第２壁パネルに折曲げ自在に接続された物品保持手段を備え、この物品保持手段は、保持側パネルを含む複数のパネルで構成され、保持側パネルは、組み立てられたカートン内で保持された物品の形状に合致するように第２壁パネルに向かって内側寄りに傾斜しているカートンブランクが提供される。
【００１３】
複数のパネルは、保持側パネルに接続されたガセットパネルを備え、ガセットパネルは、第２壁パネルと物品との間に配置される部分を備え、これにより保持側パネルが立った状態を保持することが望ましい。
【００１４】
保持側パネルと隣接する側壁との間に開口を形成し、ガセットパネルは、ガセットパネルと保持側パネルどうしの間のヒンジ接合部を超えて開口の中に突出するタブ部を備えていることが望ましい。
【００１５】
発明の好適な実施例の詳細な説明
図面を参照すると、図１には、ボール紙又はそれに類する折曲げ自在なシート状材料からなるカートンを形成するためのカートンブランクが示されている。これらの実施例では、ブランクから腰巻型カートンを形成することができる。なお、基壁を互いに結合された複数のパネルで構成する場合だけではなく、頂パネルや側壁を互いに結合された複数のパネルで構成するようにカートンブランクを設計変形することができる。
【００１６】
図１に示す実施例によれば、ブランク１０は、第１基パネル１２、第１側壁パネル１４、頂パネル１６、第２側壁パネル１８、および第２基パネル２０の隣接するものどうしが折目線２２，２４，２６，２８に沿って互いに折曲げ自在に接続されて構成されている。
【００１７】
物品保持構造を形成するための一連のパネルがカートンの一側の端部に沿って設けられている。側壁パネル１８および基パネル２０がなす角部の一つに設けられた物品保持構造２９は、折目線２６の延長線に沿って頂パネル１６に折曲げ自在に接続された上側ガセットパネル３０と、折目線３６に沿って基パネル２０に折曲げ自在に接続された保持側パネル３２とを備えている。保持側パネル３２および上側ガセットパネル３０は、折目線３４によって互いに接続されている。この実施例では、折目線２６，３４，３６は、互いにほぼ平行であるが、それら折目線の方向は梱包する物品の形状に応じて変更可能である。
【００１８】
図１において、側壁パネル１８と保持側パネル３２との中間には、開口３８が望ましくは基パネル２０内に突出するように設けられる。
【００１９】
上側ガセットパネル３０は、切目線４０によって側壁パネル１８から分離され、同パネル３０から折目線３４を超えて開口３８に突出するタブ部３１を備えている。使用に際しては、タブ部３１は、物品保持構造２９の内側へ突出して外側に位置する物品と頂パネル１６との間に保持され、これにより、保持側パネル３２を立った状態に維持する。
【００２０】
上記と同様に、側壁パネル１８および基パネル２０の上記と反対側の位置には、上記と同等の物品保持構造４７が設けられている。物品保持構造４７は、折目線２６の延長線に沿って頂パネル１６に折曲げ自在に接続された上側ガセットパネル４２と、折目線４８に沿って基パネル２０に折曲げ自在に接続された保持側パネル４４とを備えている。保持側パネル４４および上側ガセットパネル４２は、折目線４６によって互いに接続されている。
【００２１】
図１において、側壁パネル１８と保持側パネル４４との中間には、開口５０が望ましくは基パネル２０内に突出するように設けられる。
【００２２】
上側ガセットパネル４２は、切目線５２によって側壁パネル１８から分離され、同パネル４２から折目線４６を超えて開口５０に突出するタブ部４３を備えている。使用に際しては、タブ部３１は、上記タブ部３１と同じ態様の機能を奏する。
【００２３】
実施の態様によっては、開口３８，５０の下縁部３９，５１は、折目線２８に対して鈍角をなすように折目線２８との交叉部から散開し、これにより、組み立てた状態で基部に突出部が形成される。保持側パネル３２，４４の内縁部５４，５６は、内側寄りとなるように傾斜して形成することも可能であり、あるいは、想定した上下方向の面に沿って物品の形状に合致させ、および／またはカップの底部と頂部のフランジにおける距離の差に対応させることもできる。
【００２４】
図６に示す第２実施例は食肉用トレイを梱包するように構成されたものである。ブランク１１０は、第１基パネル１１２と、第１側壁パネル１１４と、頂パネル１１６と、第２側壁パネル１１８と、外側基パネル１１９と、内側基パネル１２０の隣接するものどうしを、折目線１２２，１２４，１２６，１１７に沿って互いに折曲げ自在に接続して構成されている。
【００２５】
１または複数の物品保持構造１２９，１４７を形成するための一連のパネルがカートンの一側の端部に沿って設けられている。物品保持構造１２９は、側壁パネル１１８と内側および外側基パネル１１９，１２０の一端側に配置されることが望ましい。物品保持構造１２９は、互いに接続された一対のパネルを備え、それには、底壁に折曲げ自在に接続されて内側へ折り曲げられることで底壁と面接触するパネルと、頂壁に折曲げ自在に接続されたパネルとが含まれている。
【００２６】
図６から判るように、互いに接続された一対のパネルは、折目線１２８の延長線に沿って外側基パネル１２０に折曲げ自在に接続されたガセットパネル１３０と、折目線１２６の延長線に沿って頂パネル１１６に折曲げ自在に接続された保持側パネル１３２とを備えている。保持側パネル１３２とガセットパネル１３０は折目線１３４によって接続されている。
【００２７】
保持側パネル１３２は、折目線１３６によって互いに接続された上部１３２ａおよび株３２ｂを備えていることが望ましい。
【００２８】
図６において、側壁パネル１１８と保持側パネル１３２との中間には、開口１３８が内側基パネル１１９に隣接して延在するように設けられる。
【００２９】
ガセットパネル１３０は、切目線１４０によって内側基パネル１１９から分離され、同パネル１３０から折目線１３４を超えて開口１３８に突出するタブ部１３１を備えている。使用に際しては、タブ部１３１は、保持側パネルの内側へ突出して外側に位置する物品Ｔと基パネル１２０との間に保持され、これにより、図１１に示すように、保持側パネル１３２を立った状態に維持する。
【００３０】
上記と同様に、側壁パネル１１８と内側および外側基パネル１１９，１２０の上記と反対側の位置には、上記と同等の物品保持構造１４７が設けられている。物品保持構造１４７は、折目線１２８の延長線に沿って基パネル１２０に折曲げ自在に接続されたガセットパネル１４２を備えている。さらに、折目線１２６を介して頂パネル１１６に折曲げ自在に接続された二部分からなる保持側パネル１４４ａ，１４４ｂを備えることもできる。保持側パネル１４４とガセットパネル１４２は、折目線１４６によって互いに接続されている。
【００３１】
側壁パネル１１８と保持側パネル１４４との中間には、開口１５０が内側基パネル１１９に隣接して延在するように設けられる。
【００３２】
上記と同様に、ガセットパネル１４２は、切目線１５２によって側壁パネル１１８から分離され、同パネル１４２から折目線１４６を超えて開口１５０に突出するタブ部１４３を備えている。使用に際しては、タブ部１４３は、保持側パネル１４４の内側へ突出して外側に位置する物品Ｔと外側基パネル１２０との間に保持され、これにより、保持側パネル１４４を立った状態に維持する。
【００３３】
ブランクは、その両端部どうしを互いに固定して腰巻型カートンを形成するための固定手段を備えることができる。この実施例では、固定手段は、基パネル１１２，１２０の端部の各々を超えて延在するとともに、それらに断続した折目線１６２および折目線１６６に沿って折曲げ自在に接続された一対の支持パネル１６０，１６４を備えることができる。使用に際しては、それら支持パネルは、一般にカートンで最も弱い箇所であるパネルどうしが係合する箇所で二重構造を形成して補強する。この実施例における固定手段は、支持パネル１６４から外側へ突出する複数のロックタブ１７２ａ，１７２ｂ，１７２ｃを備えたロック機構を備えている。また、ロックタブを受容するためにそれらに対応する開口が設けられ、開口は、断続した折目線１６２に略沿って延在する切目線１６８ａ，１７０ａ，１６８ｂ，１７０ｂ，１６８ｃ，１７０ｃによって形成されている。固定手段としては他の公知の手段、たとえば、本発明を逸脱しない範囲で糊付けや他の固定構造を採用することができる。
【００３４】
キャリアに収容された物品の内容を見えるようにするための表示窓を１または複数備えることも一つの態様である。この実施例では、パネル１１６を打ち抜いて２つの表示窓１７６，１７８が設けられている。
【００３５】
図１や図６に示されたカートンブランクから形成されるカートンの構造では、ブランク１０または１１０に一連の折曲げおよび糊付けを行う必要があり、そのような工程は、カートンを回転させたり反転させないで形成を遂行することができる直線状のラインマシンで行われる。折曲げ工程は、下記のものに限定されるものではなく、製造上の要請により変更することができる。
【００３６】
第１実施例のカートンブランクは、前方へ連続的に反そうされながら図２〜図５に示す手順で組み立てられ、物品Ａの配列に適用される。物品Ａの配列は、たとえば、４個を２個づつ並べたもので、それら物品Ａの頂部に頂パネル１６が支持される。
【００３７】
最初の工程は図２に示されており、その工程において側壁パネル１８は、頂パネル１６との並びから外側へ折目線２６に沿って折り曲げられ、基パネル２０は側パネル１６との並びから外側へ折目線２８に沿って折り曲げられ、これにより、側パネル１８および基パネル２０は、Ｘ方向へ向け内側に折り曲げられる。側パネル１８および基パネル２０が折り曲げられるとき、物品保持構造２９，４７は、以下に述べるように自動的に組み立てられる。
【００３８】
各物品保持構造は実質的に同等に構成されているため、物品保持構造２９の組立についてのみ以下に説明する。通常は、ガイドおよび／または位置決め機構を適切に設計することにより、ブランクに設けた複数の保持構造は同時に組み立てられる。
【００３９】
物品保持構造２９を組み立てるには、まず、上側ガセットパネル３０を折目線２６で折り曲げ、図２および図３に示すように、頂パネル１６と面接触させる。
【００４０】
上側ガセットパネル３０は、頂パネル１６へ向けＹ方向へ内側に折り曲げられると（図３）、保持側パネル３２との並びから外側へ折目線３４に沿ってほぼ直角に折り曲げられ、これにより、保持側パネル３２は、側壁パネル１８との並びから外側へ移動し、基パネル２０に対して折目線３６から傾斜する。こうして、保持側パネル３２は、図３に示すように、基パネル２０に向けて内側寄りとなるように傾斜する。ガセットパネル３０と実施例に記載されたタブ部３１は、糊付け、その他公知の適当な手段によって頂パネル１６に固定することもできる。
【００４１】
反対側の物品保持構造４７も図２および図３に示すように同様の手順で組み立てられる。
【００４２】
次いで、物品Ａは、図４に示すように、適当な梱包装置によってキャリアの側方または端部から内部に装填され、その際、タブ３１，４３は、これに近接した物品と頂パネルの内面との間に配置される。物品は、パネル３２，４４の内縁部と当接することにより、適切な位置に保持される。基パネル２０の形状により、物品を側壁パネル１８に隣接した基パネル２０の突出した部分５８に配置することができる。
【００４３】
次いで、基パネル１２および側壁パネル１４を折目線２２，２４に沿ってそれぞれ折り曲げる作業が完了すると、基パネル１２の一部は、基パネル２０の対応する部分と重ね合わせられる。そして、両者は糊付けあるいは他の公知手段により互いに固定され、図５に示すように、基部構造が形成される。こうして、カートンは完全に立ち上がり、荷積みされた状態となる。
【００４４】
図５は図１に示す第１実施例のブランクから形成したカートンを示す。より具体的には、図５には、例えば互いに接続されたプラスチック製カップのようにテーパ状の側部を有する複数の物品を保持する物品キャリアが示されている。物品キャリアは、頂壁１６と、両側の側壁１４，１８と、基部１２，２０とを筒構造を形成するように互いに接続したもので、側壁１４および基部１２のいずれかに折曲げ自在に接続された物品保持構造２９，４７を備え、物品保持構造は、隣接したカートン壁部からなって互いに接続されるとともに、複数の物品をカートン内に保持するために内側に折り曲げられた一対のパネルから形成されている。
【００４５】
物品は、不用意に離脱することがないように物品保持構造によって適切な位置に保持されることが望ましい。保持構造は、タブ３１，４３が物品Ａと頂パネル１６との間に係合するため、つぶれるようなことがない。
【００４６】
第２実施例のカートンブランク１１０は、第１実施例と同様の態様で構成され、前方に連続的に搬送されながら図７〜図１１に示す態様で組み立てられる。このブランクは、例えばトレイのような物品Ｔに適用され、この場合、頂パネル１１６は物品の頂部によって支持される。
【００４７】
図７および図８に最初の工程が記載され、ここでは、頂パネル１１６がトレイＴの頂部に当接される。次いで、側壁パネル１１４，１１８は、物品に巻き付けるように、頂パネル１１と６の並びから外側へ折目線１２４，１２６に沿ってそれぞれ折り曲げられる。外側基パネル１２０は、図９に示すように、内側基パネル１１９との並びから外側へ折目線１２８に沿って折り曲げられ、これにより基パネル１２０は外側へ向けＸ方向に折り曲げられる。側壁パネル１１８と外側基パネル１２０が折り曲げられた時点で、以下に詳述するように物品保持構造の組立が開始される。
【００４８】
各物品保持構造は実質的に同等に構成されているため、物品保持構造１２９の組立についてのみ以下に説明する。通常は、ガイドおよび／または位置決め機構を適切に設計することにより、ブランクに設けた複数の保持構造は同時に組み立てられる。
【００４９】
物品保持構造１２９の組立に際しては、まず、ガセットパネル１３０が折目線１３４で内側へ向けて折り曲げられる。一つの態様によれば、この工程は、外側基パネル１２０が内側基パネル１１９との並びから外側へ折り曲げられるときに自動的に行われる。
【００５０】
この折曲げ操作は図９に示され、この図では、ガセットパネル１３０が折目線１３４に沿って内側へ折り曲げられ、保持側パネル１３２との並びから外側に出てほぼ直交させられることが示されている。また、保持側パネル１３２は、側壁パネル１１８との並びから外側へ移動し、頂パネル１１６に対して折目線１２６から傾斜する。こうして、折目線１２８，１３４は位置が互いにずれているから、保持側パネル１３２は、側面視において側パネル１１８に対して内側へ向かうようにテーパ状となる。
【００５１】
次いで、内側基パネル１１９は、側壁パネル１１８との並びから外側へ折目線１１７に沿って折り曲げられ、これにより保持側パネル１３２ａ，１３２ｂはそれらの並びに対して外側へ折目線１３６に沿って折り曲げられる。
【００５２】
反対側の物品保持構造１４７も図７〜図９に示すように同様の手順で組み立てられる。
【００５３】
側壁パネル１１４，１１８が物品Ｔの側部へ向けて折り曲げられているときに、図１０に示すように、内側基パネル１１９は内側へ向けＷ方向へ折り曲げられ、これにより保持側パネル１３２と側壁パネル１１８との間の距離が増加する。内側基パネル１１９は、物品Ｔの基部に当接するように折目線１１７に沿って折り曲げられ、外側基パネル１２０は、折目線１２８に沿ってガセットパネル１３０，１４２へ向けてＹ方向に折曲げられ、それらとタブ部１３１，１４２とに面接触させられる。組立のこの段階において、保持側パネル１３２，１４４は、カートンの端面を横切るように配置され、トレイがカートンのいずれかの端部から滑り出るのを防止する。
【００５４】
以上の実施例では、ガセットパネル１３０はタブ部１３１とともに基パネル１２０に糊付け、その他公知の適当な手段に固定することができる。
【００５５】
基パネル１１２，１２０は、糊付けあるいは他の適当な公知手段により互いに固定され、その際、ロックタブ１７２はスリット１６８，１７０に挿入されてそこで係合する。物品Ｔの肩部は、図１１に示すように、固定タブ１６０と当接することで係合する。
【００５６】
こうして、カートンは、図１２に示すように組み立てられて立ち上がり、この物品キャリアは、頂壁１１６と、両側の側壁１１４，１１８と、基壁１１２，１２０とを筒構造を形成するように互いに接続したもので、側壁および基壁のいずれかに折曲げ自在に接続された物品保持構造を備え、物品保持構造は、隣接したカートン壁部からなって互いに接続されるとともに、複数の物品をカートン内に保持するために内側に折り曲げられた一対のパネル１３０，１３２から形成されている。
【００５７】
物品Ｔは、不用意に離脱することがないように保持側パネル１３２，１４４の内縁部に当接し、適切な位置に保持される。
【００５８】
図１２から判るように、ガセットパネル１３０，１４２および／またはタブ部１３１，１４３が物品Ｔの底部とパネル１２０の内面との間に位置するため、保持構造がつぶれるのを防いでいる。
【００５９】
ここで用いられている「頂」、「基」、「端」、「側」、「内側」、「外側」といった方向を示す用語は、各パネルをそのような方向のものに限定するものではなく、単にパネルどうしを区別するためのものに過ぎない。ヒンジによる接続は、単一の折目線である必要があると解釈されるべきではなく、本発明の範囲を逸脱しない限りにおいて、１または複数の刻み線や、容易に折れたり曲がったりする線であっても良い。
【００６０】
本発明およびその好適な実施例は、物品を確実に保持することができる十分な強度を持った形状の物品キャリアであるが、輸送中に物品をキャリア内に保持できるような柔軟性も備えている。ブランクの形状は、必要なボール紙の量を最小限にし、また、キャリアは、手作業または自動機によって配列された物品に適用することができる。本発明は、種々のキャリアに適用することができ、上記のような腰巻型のものに限定されない。
【００６１】
加えて、本発明の範囲を逸脱しない限りにおいて、カートンは上記よりも多くのまたは少ない物品に対して適用することができる。
【図面の簡単な説明】
【図１】  本発明の特徴のカートンを形成するブランクを示す。
【図２】  図１に示すブランクからカートンを組み立てる工程を示す図である。
【図３】  図１に示すブランクからカートンを組み立てる工程を示す図である。
【図４】  図１に示すブランクからカートンを組み立てる工程を示す図である。
【図５】  図１に示すブランクから組み立てられたカートンに物品が装填された状態を示す図である。
【図６】  本発明の第２実施例のカートンを形成するブランクを示す。
【図７】  図６に示すブランクからカートンを組み立てる工程を示す図である。
【図８】  図６に示すブランクからカートンを組み立てる工程を示す図である。
【図９】  図６に示すブランクからカートンを組み立てる工程を示す図である。
【図１０】  図６に示すブランクからカートンを組み立てる工程を示す図である。
【図１１】  図６に示すブランクから組み立てられたカートンに物品が装填された状態を示す図である。
【図１２】  図６に示すブランクから組み立てられたカートンに物品が装填された状態を示す図である。
【図１】
0004413463.tif 000002
【図２】
0004413463.tif 000003
【図３】
0004413463.tif 000004
【図４】
0004413463.tif 000005
【図５】
0004413463.tif 000006
【図６】
0004413463.tif 000007
【図７】
0004413463.tif 000008
【図８】
0004413463.tif 000009
【図９】
0004413463.tif 000010
【図１０】
0004413463.tif 000011
【図１１】
0004413463.tif 000012
【図１２】
0004413463.tif 000013